(57)【要約】【課題】電子機器３０１の明るさ検知部１０２で検出した明るさに対して表示部１０６の輝度設定を変更することによって、電子機器３０１に対して、最適な表示部１０６の表示品位を維持することが出来る電子機器３０１を提供することを目的とする。【解決手段】温度検知部１０３において、電子機器３０１の周辺温度を検知し、検知した温度に応じて複数用意した輝度テーブルの内の一つを選択し、明るさ検知部１０２に検出した明るさに対する輝度設定値を選択した輝度テーブルを参照し、表示駆動部１０５によって表示部１０６の輝度を調整するようにした。【選択図】図１
2013238806.tif 000002
【特許請求の範囲】
【請求項１】
バックライトを有する表示部と、
明るさ検知部と、
表示部周辺の温度の検知部と、
を備えている電子機器において、検知した明るさに対する輝度調整値テーブルを複数持ち、
検知した周辺温度に応じて輝度調整値テーブルを変更することを特徴とする電子機器。
【請求項２】
バックライトを有する表示部と、
明るさ検知部と、
表示部周辺の温度の検知部と、
を備えている電子機器において、検知した明るさに対して、任意の明るさ以上の場合に対して輝度調整値テーブルを複数持つことを特徴とする電子機器。
【請求項３】
バックライトを有する表示部と、
明るさ検知部と、
表示部周辺の温度の検知部と、
を備えている電子機器において、検知した明るさに対して、任意の明るさ以上の場合に対して輝度調整値テーブルを複数持ち、
検知した周辺温度に応じて輝度調整値テーブルを変更することを特徴とする電子機器端末。
【請求項４】
バックライトを有する表示部と、
明るさ検知部と、
表示部周辺の温度の検知部と、
を備えている電子機器において、検知した明るさに対して、任意の明るさ以上の場合に対して輝度調整値テーブルを複数持ち、
アプリケーションに応じて輝度調整値テーブルを変更することを特徴とする電子機器端末。
【請求項５】
有機ＥＬなど自発光素子にて表示する表示部と
明るさ検知部と、
表示部周辺の温度の検知部と、
を備えている電子機器において、検知した明るさに対する輝度調整値テーブルを複数持ち、
検知した周辺温度に応じて輝度調整値テーブルを変更することを特徴とする電子機器。
【発明の詳細な説明】
【技術分野】
【０００１】
本発明は、電子機器及び電子機器端末の表示器における輝度制御方法に関するものである。
【背景技術】
【０００２】
電子機器たとえば携帯電話やデジタルカメラにおいて、周辺の明暗に応じてＬＣＤ表示部周辺の照度を検知し、バックライトの輝度を調整し、ＬＣＤにおけるユーザーの見え方を調整している。（特開平６−６７１５９号公報参照）
また、特開平6-67159が周囲の照度変化によりバックライトの輝度を自動調整し、周囲の温度変化によりコントラストを自動調整するのみに対して、バックライトの劣化を考慮して、バックライトの周辺温度が高くなった場合には、バックライトの輝度を下げるようにする。（特開２００７−２１９００８号公報参照）
また、電子機器はバックライトの消費電力が原因で、バックライトの寿命が短く、また、バックライトの消費電力による発熱が原因であるためバックライトが高温になり発光効率が下がるなどの問題点があり、電子機器内に温度センサ、照度センサを設け、使用環境温度、照度に応じて輝度制御部により駆動部を制御して、装置に表示される情報を見易くするように、バックライトの輝度を自動調整する。（特開２００２−１５６９４９号公報参照）
【先行技術文献】
【特許文献】
【０００３】
【特許文献１】特開平６−６７１５９号公報
【特許文献２】特開２００７−２１９００８号公報
【特許文献３】特開２００２−１５６９４９号公報
【発明の概要】
【発明が解決しようとする課題】
【０００４】
常に照度センサと温度センサによりバックライトの輝度を最大限に明るくしようと、バックライト電流を制御している。そのため、バックライトに必要以上に電流を流すことになり、電池持ちが短くなり、省電力化にも不利に働くことになる。
【０００５】
また、バックライトの最大限に輝度を上げようとしても、バックライトのＬＥＤのディレーティングを考慮するため、電子機器の使用温度範囲を考慮してワースト状態でも問題ない電流値を設定することになる。周囲温度によっては、バックライトに流す電流をもっと流し、表示部の輝度を上げられるにもかかわらず、機能をフルに発揮できない場合があった。
【０００６】
本発明は、上記課題を解決するために、表示部の照度条件、バックライトのＬＥＤの周辺温度を鑑みつつ、照度と輝度テーブルを複数持つことにより、外光時によって見づらくなる画面を少しでも、バックライトのＬＥＤのディレーティングおよび省電力を鑑みつつ、表示部を明るく見易くするための制御方法を提案する。
【課題を解決するための手段】
【０００７】
前記従来の課題を解決するため、本発明の電子機器は、電子機器の周辺温度、或いはアプリケーションの違いにより、明るさ検知部の検知する明るさに対する表示部の輝度設定を変更する。この明るさ検知部の検知する明るさに対する表示部の輝度設定を変更することによって、電子機器の温度、或いはアプリケーションの違いによらず、最適な表示品位を維持することができる。
【発明の効果】
【０００８】
以上のように、本発明の電子機器によれば、電子機器の周辺温度を検出すること、或いはアプリケーションの違いにより、照度の検出に対する表示部の輝度設定を最適にすることによって、最適な表示品位を維持することができる。
【図面の簡単な説明】
【０００９】
【図１】本発明の実施の形態１における電子機器のブロック図
【図２】本発明の実施の形態２における電子機器のブロック図
【図３】本発明の実施の形態３における電子機器のブロック図
【図４】本発明の実施の形態１〜３におけるメモリに格納している第１の輝度テーブル、第２の輝度テーブルの例を示す図
【図５】本発明の実施の形態１〜３におけるメモリに格納している第１の輝度テーブル、第２の輝度テーブルの例を示す図
【図６】本発明の実施の形態１〜３におけるメモリに格納している第１の輝度テーブル、第２の輝度テーブルの例を示す図
【図７】本発明の実施の形態１における電子機器の使用状態を示す概念図
【図８】照度と明るさの目安をまとめた図
【発明を実施するための形態】
【００１０】
以下に、本発明の実施の形態について、図面を参照しながら説明する。
【００１１】
（実施の形態１）
図１は本発明の実施の形態１における電子装置のブロック図である。電子機器３０１は、輝度制御部１０１と、明るさ検知部１０２と、温度検知部１０３と、手動制御部１０４と、表示駆動部１０５と、表示部１０６と、メモリ１０８とから構成されている。
【００１２】
次に、本発明の実施の形態１における電子機器３０１の動作を図１を使用して説明する。温度検知部１０３において、電子機器３０１の表示部周辺の温度を検知し、検知した第１の温度範囲１１４の時は、明るさ検知部１０２において検知した環境光５０１の明るさに応じて、第１の輝度テーブル１０９を使用して輝度を決定し、表示駆動部１０５によって表示部１０６における表示の輝度を設定する。
また、ユーザーより表示部の輝度をアップしたいと要求があった場合、手動制御部１０４にてユーザーからの要求を検知し、温度検知部１０３にて検知した第２の温度範囲１１５の時は、明るさ検知部１０２において検知した環境光５０１の明るさに応じて、第２の輝度テーブル１１０を使用して輝度を決定し、表示駆動部１０５によって表示部１０６における表示の輝度を設定する。
【００１３】
このように本発明の実施の形態１の電子機器３０１であれば、表示部周辺の温度と環境光５０１によって、表示部１０６の輝度設定を最適にし、最適な表示品位を確保することができる。ここで、第１の輝度テーブル１０９、第２の輝度テーブル１１０を図４のように、検知した明るさによって、それぞれ異なった輝度調整値をもあせても良いし、図５のように第１の輝度テーブル１０９の設定値のｎ培。本図面では一律２倍にした値を第２の輝度テーブル１１０として輝度調整値としている。また、図６のように第２の輝度テーブル１１０を一律明るく表示する。本実施例は、温度検知部１０３による輝度テーブルを２つの場合を例としているが、電子機器３０１のメモリ１０８の容量次第で、もっと細かく３つ以上の温度範囲が異なる輝度テーブルを持たせても構わない。
【００１４】
（実施の形態２）
次に、本発明の実施の形態２における電子機器３０１の構成を図２を使用して説明する。図２は本発明の実施の形態２における電子装置のブロック図である。
電子機器３０１は、輝度制御部１０１と、明るさ検知部１０２と、温度検知部１０３と、手動制御部１０４と、表示駆動部１０５と、表示部１０６と、タイマー１０７と、メモリ１０８とから構成されている。
次に、本発明の実施の形態２における電子機器３０１の動作を図２で使用して説明する。
温度検知部１０３において、電子機器３０１の表示部周辺の温度を検知し、検知した第１の温度範囲１１４の時は、明るさ検知部１０２において検知した環境光５０１の明るさに応じて、第１の輝度テーブル１０９を使用して輝度を決定し、表示駆動部１０５によって表示部１０６における表示の輝度を設定する。
また、ユーザーより表示部の輝度をアップしたいと要求があった場合、手動制御部１０４にてユーザーからの要求を検知し、温度検知部１０３にて検知した第２の温度範囲１１５の時は、明るさ検知部１０２において検知した環境光５０１の明るさに応じて、第２の輝度テーブル１１０を使用して輝度を決定する。そして、あらかじめ設定された任意の時間をタイマー１０７によって、その期間の間のみ第２の輝度テーブル１１０の輝度を表示駆動部１０５によって表示部１０６における表示の輝度を設定する。タイマー１０７に設定された期間後は、第１の輝度テーブル１０９の使用に戻す。これは、バックライトのＬＥＤの発光にともなう自己発熱によって、バックライトのＬＥＤ周辺の温度上昇を極力さけるためである。タイマーの時間は、固定でも構わないし、ユーザーによって選択、設定できるようにしても構わない。
【００１５】
（実施の形態３）
次に、本発明の実施の形態３における電子機器３０１の構成を図３を使用して説明する。図３は本発明の実施の形態４における電子装置のブロック図である。
電子機器３０１は、輝度制御部１０１と、明るさ検知部１０２と、温度検知部１０３と、手動制御部１０４と、表示駆動部１０５と、表示部１０６と、タイマー１０７と、メモリ１０８とから構成されている。
次に、本発明の実施の形態４における電子機器３０１の動作を図３で使用して説明する。第１のアプリケーション１１６を起動している時は、明るさ検知部１０２において検知した環境光５０１の明るさに応じて、第１の輝度テーブル１０９を使用して輝度を決定し、表示駆動部１０５によって表示部１０６における表示の輝度を設定する。
また、ユーザーより表示部の輝度をアップしたいと要求があった場合、手動制御部１０４にてユーザーからの要求を検知し、温度検知部１０３にて検知した第１の温度範囲１１４の時は、明るさ検知部１０２において検知した環境光５０１の明るさに応じて、第１の輝度テーブル１０９を使用して輝度を決定する。そして、あらかじめ設定された任意の時間をタイマー１０７によって、その期間の間のみ第２の輝度テーブル１１０の輝度を表示駆動部１０５によって表示部１０６における表示の輝度を設定する。また、温度検知部１０３にて検知した第２の温度範囲１１５の時は、明るさ検知部１０２において検知した環境光５０１の明るさに応じて、第２の輝度テーブル１１０を使用して輝度を決定する。そして、あらかじめ設定された任意の時間をタイマー１０７によって、その期間の間のみ第２の輝度テーブル１１０の輝度を表示駆動部１０５によって表示部１０６における表示の輝度を設定する。
一方、第２のアプリケーション１１７を起動した時は、明るさ検知部１０２において検知した環境光５０１の明るさに応じて、第３の輝度テーブル１１１を使用して輝度を決定し、表示駆動部１０５によって表示部１０６における表示の輝度を設定する。
また、ユーザーより表示部の輝度をアップしたいと要求があった場合、手動制御部１０４と検知した第２の温度範囲１１５の時は、明るさ検知部１０２において検知した環境光５０１の明るさに応じて、第４の輝度テーブル１１２を使用して輝度を決定する。そして、あらかじめ設定された任意の時間をタイマー１０７によって、その期間の間のみ第４の輝度テーブル１１２の輝度を表示駆動部１０５によって表示部１０６における表示の輝度を設定する。タイマー１０７に設定された期間後は、第３の輝度テーブル１１１の使用に戻す。
たとえば、カメラ用のアプリケーションの場合、カメラ起動時において、外光が明るく表示部が見えにくいとユーザーが認識した場合に、手動でバックライトの輝度を一時的にアップさせるようさせることを想定される。
【００１６】
また、いずれの実施例の表治部に関して液晶とバクライトを前提に説明したが、自発光素子である有機ＥＬのディスプレイにおいても、有機ＥＬへ流す電流を照度センサ、温度センサによって、複数のテーブルで制御しても構わない。
【産業上の利用可能性】
【００１７】
本発明にかかる電子機器は、明るさに応じて、表示輝度を制御や映像信号を補正をすることで最適な表示品位を確保することができ、表示部を備えた電子機器等に有用である。
【符号の説明】
【００１８】
１０１    輝度制御部
１０２    明るさ検知部
１０３    温度検知部
１０４    手動制御部
１０５    表示駆動部
１０６    表示部
１０７    タイマー
１０８    メモリ
１０９    第１の輝度テーブル
１１０    第２の輝度テーブル
１１１    第３の輝度テーブル
１１２    第４の輝度テーブル
１１６    第１のアプリケーション
１１７    第２のアプリケーション
３０１    電子機器
５０１    環境光
【図１】
2013238806.tif 000003
【図２】
2013238806.tif 000004
【図３】
2013238806.tif 000005
【図４】
2013238806.tif 000006
【図５】
2013238806.tif 000007
【図６】
2013238806.tif 000008
【図７】
2013238806.tif 000009
【図８】
2013238806.tif 000010